(57)【要約】【課題】通気性がよく、且つ着心地のよいバスト用衣類及びバスト用衣類のカップパッドを提供する。【解決手段】本発明の一形態に係るバスト用衣類は、着用者の胸部に配される一対のカップ部を備え、前記一対のカップ部は、椀状に構成されるカップパッドと、前記カップパッドを覆う１以上の布材と、を備え、前記カップパッドは、その下縁に複数の切欠部を有し、前記切欠部の縁部の少なくとも一部が前記布材から遊離する。【選択図】図１
2017193797.tif 000002
【特許請求の範囲】
【請求項１】
着用者の胸部に配される一対のカップ部を備え、
前記一対のカップ部は、椀状に構成されるカップパッドと、前記カップパッドを覆う１以上の布材と、を備え、
前記カップパッドは、その下縁に複数の切欠部を有し、前記切欠部の縁部の少なくとも一部が前記布材から遊離する、バスト用衣類。
【請求項２】
着用者の胸部に配される一対のカップ部を備え、
前記一対のカップ部は、椀状に構成されるカップパッドを備え、
前記カップパッドは、弾性変形可能な材料で構成され、その外縁に、外方に開口するアーチ状の切欠部である複数の凹部と、前記外縁の前記凹部の側部において外方に突出する凸部と、を有し、
前記凸部の先端部において前記カップ部を構成する他の部材と接合される、バスト用衣類。
【請求項３】
３以上５以下の前記切欠部が前記カップパッドの下縁に配列される、請求項１または２に記載のバスト用衣類。
【請求項４】
前記カップ部は、布材として、前記カップパッドの表面を覆う表布と、前記カップパッドの裏面を覆う裏布と、を備え、
前記カップ部の下縁に沿って、前記カップパッドよりも剛性の高いサポート材を収容するチャネル部を備え、
前記凸部の先端部が前記チャネル部において前記布材に縫合される、請求項２に記載のバスト用衣類。
【請求項５】
前記切欠部は、幅寸法が１．０ｃｍ以上６．０ｃｍ以下であり、深さが１．０ｃｍ以上４．０ｃｍ以下に構成される、請求項１乃至４のいずれか記載のバスト用衣類。
【請求項６】
バスト用衣類に配されるカップパッドであり、
椀形状に構成され、下縁部に、アーチ状に切り欠かれた凹部と、前記凹部の側部が外方に突出する凸部と、が交互に複数形成され、前記凸部において他の部材に接合され、前記凹部において他の部材から遊離している、カップパッド。
【発明の詳細な説明】
【技術分野】
【０００１】
本発明の実施形態は、バスト用衣類及びバスト用衣類のカップパッドに関する。
【背景技術】
【０００２】
ブラジャーやスリップなど、女性のバストに装着するバスト用衣類として、胸部を覆う一対のカップ部と、各カップ部の側縁に接続され背中に至るベルトと、各カップ部の上部から肩を通って背中に至り各ベルトに接続されるショルダーストラップと、を備える構成が知られている。カップ部は、例えば、椀形状に構成されたカップパッドと、カップパッドの表側や裏側に重ねられる複数の布材とが縫い合わされて構成される。このようなバスト用衣類において、通気性を確保するために、カップ部の下縁の所定の領域にカップパッドを配さずに、メッシュ構造の布材で構成された通気部を備えるものが提供されている（例えば、特許文献１参照）。また、メッシュ構造の布材で構成された通気部の保形性を確保するために、通気部に変形し難い剛性部材を配する技術も提供されている。
【先行技術文献】
【特許文献】
【０００３】
【特許文献１】特開２０１３−１９９７２５号公報
【発明の概要】
【発明が解決しようとする課題】
【０００４】
しかしながら、通気部に剛性部材を配すると、カップ部が硬く、着用感や運動追従性が損なわれる。このため、着心地のよいバスト用衣類及びバスト用衣類のカップパッドが望まれている。
【課題を解決するための手段】
【０００５】
本発明の一形態に係るバスト用衣類は、着用者の胸部に配される一対のカップ部を備え、前記一対のカップ部は、椀状に構成されるカップパッドと、前記カップパッドを覆う１以上の布材と、を備え、前記カップパッドは、その下縁に複数の切欠部を有し、前記切欠部の縁部の少なくとも一部が前記布材から遊離する。
【０００６】
本発明の他の一形態にかかるカップパッドは、バスト用衣類に配されるカップパッドであり、椀形状に構成され、下縁部に、アーチ状に切り欠かれた凹部と、前記凹部の側部が外方に突出する凸部と、が交互に複数形成され、前記凸部において他の部材に接合され、前記凹部において他の部材から遊離している。
【発明の効果】
【０００７】
本発明によれば、通気性がよく、且つ着心地のよいバスト用衣類及びバスト用衣類のカップパッドを提供できる。
【図面の簡単な説明】
【０００８】
【図１】第１実施形態にかかるブラジャーの構成を示す正面図。
【図２】同ブラジャーの構成を示す後面図。
【図３】同ブラジャーの内部の構成を示す説明図。
【図４】同ブラジャーの断面図。
【図５】同ブラジャーの断面図。
【図６】同ブラジャーのカップパッドの斜視図。
【図７】他の実施形態にかかるブラジャーの構成を示す説明図。
【図８】他の実施形態にかかるブラジャーの構成を示す説明図。
【発明を実施するための形態】
【０００９】
以下、本発明の第１実施形態にかかるバスト用衣類の一例としてのブラジャー１について図１乃至図６を参照して説明する。図１は本実施形態に係るブラジャー１を表面側から見た説明図であり、図２は裏面側から見た説明図である。図３はブラジャー１の内部のカップパッド１３の構成を示す説明図である。図４は図１のＩＶ―ＩＶ線における断面図、図５は図１のＶ―Ｖ線における断面図である。図６はカップパッド１３の斜視図である。なお、各図では説明のため、適宜構成を拡大、縮小、省略して模式的に示している。本実施形態において、上下左右等の方向は、ブラジャー１を着用した立位状態の着用者を基準としてそれぞれ示している。
【００１０】
図１乃至図４に示すように、バスト用衣類であるブラジャー１は、着用者の胸部に配される一対のカップ部１１を有する第１サポート部１０Ａと、第１サポート部１０Ａの両側部に接続され着用者の脇下の側部から背中に回ってバックセンターに至る第２サポート部２０Ａと、第１サポート部１０Ａの一対のカップ部１１の上部に接続され着用者の肩部の上から背中側に回って第２サポート部２０Ａに連結される第３サポート部３０Ａと、を備える。
【００１１】
第１サポート部１０Ａは、センター部１０ａで連結された左右一対のカップ部１１と、各カップ部１１の下側に配された左右一対のベース部１２と、を備える。
【００１２】
各カップ部１１は、胸部の一対の乳房にそれぞれ対応し、着用時に各乳房を覆うように配置される。一対のカップ部１１は左右に並列して配置されている。
【００１３】
一対のカップ部１１は、それぞれ、下方に凸となるカーブを呈する下カップ縁１１ａと、センター部１０ａから湾曲して斜め上に延び上端に至る内カップ縁１１ｂと、下カップ縁１１ａの外側端から湾曲してセンター側に向かって上方に斜めに延びて上端部に至る外カップ縁１１ｃと、を有している。
【００１４】
図４及び図５に示すように、カップ部１１は、複数の生地が積層され、所定箇所において縫合され、接合されている。本実施形態において、カップ部１１は、椀状に構成されたカップパッド１３と、カップパッド１３の裏面側に積層される布材としての裏布１５と、カップパッド１３の表面側に積層される布材としての表布１４と、表布１４の外面に配される布材としてのカバー布１６と、を積層して備えている。
【００１５】
カップパッド１３は、中央が隆起する椀形状に構成されている。カップパッド１３は、伸縮性の高い材料で、弾性変形可能に構成されている。カップパッド１３は、例えばポリウレタンシートがカップ状にモールド加工されて構成されている。
【００１６】
カップパッド１３の外形は、凹部１７と凸部１８とが交互にそれぞれ複数配列された下パッド縁１３ａと、センター部１０ａから湾曲して斜め上に延び上端に至る内パッド縁１３ｂと、下パッド縁１３ａの外側端から湾曲してセンター側に向かって上方に斜めに延びて上端部に至る外パッド縁１３ｃと、で囲まれる。
【００１７】
下パッド縁１３ａにおいて、外方に開口するアーチ状の凹部１７である切欠部１９が複数形成されている。切欠部１９の縁部は、他の布材１４，１５，１６とは縫合されずに遊離した遊離部を構成している。カップパッド１３の下パッド縁１３ａには、２以上５以下の凹部１７が配列され、好ましくは３以上５以下の凹部１７が構成されている。
【００１８】
本実施形態においてカップパッド１３の下パッド縁１３ａには、４つの凹部１７が所定の間隔で並列配置されている。各凹部１７は例えば中心角１８０度の円弧状に切りかかれることで、半円形状の開口を形成し、通気性を確保する通気部を構成する。
【００１９】
凸部１８は、下パッド縁１３ａの凹部１７の両側が外方に突出した突出片である。凸部１８は先端部の縫合部Ｓ１において他の布材と接合されている。凸部１８の先端縁は下方に凸となる下カップ縁１１ａに沿うカーブを呈し、この湾曲ラインに沿ってチャネル部としてのワイヤーチャネル４５が形成されている。
【００２０】
隣合う一対の凸部１８の先端の間の距離、すなわち切欠部１９の幅方向の寸法Ｘ１は１．０ｃｍ以上６．０ｃｍ以下に構成され、好ましくは、２．０ｃｍ以上３．５ｃｍ以下に構成される。また、隣合う一対の凸部１８の先端を結ぶ線分と、凹部１７の頂部１７ａとの距離、すなわち切欠部１９の深さ寸法Ｙ１は、１．０ｃｍ以上４．０ｃｍ以下であり、好ましくは１．０ｃｍ以上２．５ｃｍ以下に構成される。
【００２１】
複数の凹部１７の大きさ及び形状はいずれも等しく、また等間隔で配置される。
【００２２】
凸部１８の大きさ及び形状はいずれも等しく、等間隔に配列されている。ここで、例えば、一対の凹部１７の間の凸部１８の先端の幅寸法Ｘ２、及び、下パッド縁１３ａの両端部の凸部１８の先端の幅寸法Ｘ３は、いずれも１．０ｃｍ以上とした。
【００２３】
表布１４及び裏布１５は、例えば綿や合成繊維からなる布材で構成される。表布１４、裏布１５及びカバー布１６は伸縮性があり肌当たりがよく、かつ通気性の高いカットソー生地で構成されている。また、裏布１５は一部が二重構造であって、裏面側に別体のパッドを収納可能なポケットを有している。
【００２４】
また裏布１５の裏面側の下カップ縁１１ａに沿ってワイヤーチャネル４５が設けられている。袋状のワイヤーチャネル４５の縁部分が裏布１５等とともに縫合され、内部にサポート材としてのワイヤー５０が収容されている。
【００２５】
以上の様に構成されたカップ部１１において、切欠部１９によって通気性の高い通気部が構成される。すなわち、ワイヤーチャネル４５に沿う下縁部には、カップパッド１３が存在しないため、通気性が高い。
【００２６】
一対のベース部１２は、カップ部１１の下カップ縁１１ａに縫合された帯片である。一対のベース部１２の端部同士がセンター部１０ａで縫合により接続されている。
【００２７】
一対のカップ部１１の下カップ縁１１ａ及びベース部１２の外側縁で構成される第１サポート部１０Ａの両端縁に、第２サポート部２０Ａを構成する一対のベルト２０がそれぞれ接続されている。
【００２８】
第２サポート部２０Ａは、着用者の背中部位に配される、いわゆる背部であり、第１サポート部１０Ａの外側縁にそれぞれ接続されバックセンターで互いに連結されて繋がる一対のベルト２０を備える。
【００２９】
各ベルト２０は、伸縮性の異なる複数のパーツが接合されて構成されている。ベルト２０は、脇片である第１パーツ片２１と、背部片である第２パーツ片２２とが、互いに接合された切替え部材で構成されている。一対のベルト２０の端部はそれぞれバック連結具２３ａ，２３ｂを備え、互いに連結される。
【００３０】
ベルト２０は、上端部においてショルダー連結具２５を介して、第３サポート部３０Ａに連結される。
【００３１】
第３サポート部３０Ａは、一対のショルダーストラップ３１を備える。ショルダーストラップ３１は、可撓性の帯状に構成されている。ショルダーストラップは、その一端が一対のカップ部１１の上端に連結されて上方に延び、肩部上を通って背中に回り、その他端が背中においてショルダー連結具２５を介してベルト２０に連結されている。
【００３２】
以上のように構成されたブラジャー１において、第１サポート部１０Ａの外縁やベルト２０の上縁は伸縮性を有するテープ材４１により端処理が成されている。
また、ベース部１２の下縁に沿って、伸縮性を有するテープ材４１が縫着されている。
【００３３】
ブラジャー１のカップ部１１の製造工程について図４、５を参照して説明する。まず、カップパッド１３を所定の椀形状にモールド加工する。成形後のカップパッド１３に表布１４、裏布１５を重ね、下カップ縁１１ａに沿ってワイヤーチャネル４５を配し、所定の縫合部Ｓ１，Ｓ２，Ｓ３を縫合材で縫製する。
【００３４】
ここで、縫合部Ｓ１は、カップパッド１３の凹部１７を除き、カバー布１６、表布１４、裏布１５、及びワイヤーチャネル４５の内縁部を重ねて縫合している。一方、縫合部Ｓ２は、表布１４、カップパッド１３の凸部１８の先端部、を重ねて縫合している。縫合部Ｓ３は、カップパッド１３の外縁よりも外側の位置で、カバー布１６、表布１４、及びワイヤーチャネル４５の外縁部を重ねて縫合している。すなわち、縫合部Ｓ２は下カップ縁１１ａに沿う湾曲ラインに沿っており、この湾曲ラインよりも内側に退避した凹部１７は他の布材とは縫合されず、他の布材から遊離した状態となる。
以上のように構成された一対のカップ部１１をバストセンターの位置で突き合わせ、一対のカップ部１１を連結して縫合する。
【００３５】
本実施形態にかかるブラジャー１によれば、カップパッド１３に、アーチ状の切欠部１９を複数形成したことにより、ワイヤー５０が配される下縁部分においてカップパッド１３が開口することで、通気性を改善できる。すなわちブラジャーのカップ部の周辺は、蒸れが生じ易く、特にワイヤーチャネル４５部分は最も汗がたまり易いが、ワイヤーチャネル４５に沿って切欠部１９が形成されることで、カップパッド１３の最も通気性が求められる箇所に開口を形成できるため、蒸れを軽減することができる。
【００３６】
また、カップパッド１３は円弧状の凹部１７において他の布材と遊離する構成としたことにより、下縁全長が縫合される構成と比べ、カップパッド１３がバストの動きに連動することで、運動追従性が高い。したがって、例えばショルダーストラップ３１が引っ張られた際にはカップパッド１３が十分に伸縮することで、バストの動きに連動し易く、カップ部１１のずり上がりを防止できる。
【００３７】
また、カップパッド１３は切欠部１９の両側に複数の凸部１８を備える構造としたことで、カップ保形性を確保できる。すなわち、切欠部１９の両側に配される凸部１８によってカップパッド１３を支持することで、通気部の形状を維持することができ、カップの保形性を確保できる。
【００３８】
またカップパッド１３は、凹部１７と凸部１８を交互に備える形状により、異素材を組み合わせたり、剛性素材を用いたりすることなく、通気部を形成できる。このため、肌当たりがよく、着用感の良さを確保できる。例えば、剛性素材がカップ下縁部に用いられることで通気部を形成した場合、カップがバストに沿いにくく、また、着用感の問題があり、バストの動きを制限することになるが、本実施形態によればカップパッドの柔軟性を損なわず、運動追従性も確保できる。さらにブラジャー１においては切欠部１９の形状を円弧形状としたことで、例えばショルダーストラップ３１による引っ張り力を均等に分散させることができる。
【００３９】
ブラジャー１によれば、切欠部１９の幅寸法Ｘ１を１．０ｃｍ以上６．０ｃｍ以下、好ましくは２．０ｃｍ以上３．５ｃｍ以下としたことで、カップ部１１の保形性と、伸縮性及び通気性を両立できる。すなわち、切欠部が大きすぎるとカップ形状が不安定となり、切欠部が小さすぎると伸縮性や通気性が損なわれるが、上記範囲で構成することでカップ部１１の形状の安定と、伸縮性及び通気性を両立できる。さらに、ショルダー連結具２５側の凸部１８の先端の幅寸法Ｘ３を１．０ｃｍ以上とすることで、下カップ縁１１ａに負荷がかかった際にもバストを保持でき、カップ部１１の保形性を確保できる。
【００４０】
また、凹部１７の数を２以上５以下として均等に配置したことで、下カップ縁１１ａに均等に通気部を配し、且つ、ワイヤーチャネル４５の縫着部を均等に配することができる。したがって、ショルダーストラップ３１に引っ張られる力が下カップ縁１１ａにかかる場合にもバストの形状に沿って均等にバストを保持することが可能である。
【００４１】
なお、本発明は上記各実施形態そのままに限定されるものではなく、実施段階ではその要旨を逸脱しない範囲で構成要素を変形して具体化できる。
【００４２】
例えば上記実施形態ではバスト用衣類としてのブラジャー１に適用した例を示したが、これに限られるものではなく他の形態のブラジャーはもちろん、スリップ、タンクトップ、シャツ、ワンピース、水着などバストに着用する種々の衣類に用いることができる。上記実施形態においてブラジャー１は別体のパッドを収納可能なポケットを有する構造を例示したが、これに限られるものではなく、クッションと一体の構造としてもよい。また、本実施形態の成型によるモールド加工品のみならず、カットソーのカップに対しても適用可能である。さらに、ショルダーストラップを備えないストラップレスタイプでもよい。
【００４３】
また、カップパッド１３の材料として、ポリウレタンシートがカップ状にモールド加工されて構成されたものを例示したが、これに限られるものではない。例えば他に、ポリウレタン、ファイバーフィル不織布等を素材としたモールド成型品でもよく、あるいは複数のパーツを縫い合わせたカットソーでもよい。
【００４４】
アーチ状の凹部１７や凸部１８の数は上記に限られるものではない。また凹部１７や凸部１８の大きさは同一ではなく、複数の大きさを組み合わせることが可能である。例えば他の実施形態として図７に示すブラジャー１Ａは、凹部１７を３つ備え、図８に示すブラジャー１Ｂは凹部１７を５つ備えている。これらの実施形態においても、上記第１実施形態にかかるブラジャー１と同様の効果を奏する。また、凹部１７を６以上配置してもよい。
【００４５】
この他、上記実施形態に例示された各構成要素を削除してもよく、各構成要素の形状、構造、材質等を変更してもよい。上記実施形態に開示されている複数の構成要素の適宜な組み合わせにより、種々の発明を形成できる。
【符号の説明】
【００４６】
１、１Ａ、１Ｂ…ブラジャー、１０Ａ…第１サポート部、１０ａ…センター部、１１…カップ部、１１ａ…下カップ縁、１１ｂ…内カップ縁、１１ｃ…外カップ縁、１２…ベース部、１３…カップパッド、１３ａ…下パッド縁、１３ｂ…内パッド縁、１３ｃ…外パッド縁、１４…表布（布材）、１５…裏布（布材）、１５ａ…ポケット、１６…カバー布（布材）、１７…凹部、１７ａ…頂部、１８…凸部、１９…切欠部、２０…ベルト、２０Ａ…第２サポート部、２１…第１パーツ片、２２…第２パーツ片、２５…ショルダー連結具、３０Ａ…第３サポート部、３１…ショルダーストラップ、４１…テープ材、４５…ワイヤーチャネル、５０…ワイヤー、Ｓ１、Ｓ２、Ｓ３…縫合部。
【図１】
2017193797.tif 000003
【図２】
2017193797.tif 000004
【図３】
2017193797.tif 000005
【図４】
2017193797.tif 000006
【図５】
2017193797.tif 000007
【図６】
2017193797.tif 000008
【図７】
2017193797.tif 000009
【図８】
2017193797.tif 000010